(57)【要約】【課題】簡単な構成で、原稿の画像を読み取る際の文字ブレを効果的に防止し、良好な画像を得ることができる自動原稿搬送装置およびこれを備えた画像読取装置を提供することを目的とする。【解決手段】自動原稿搬送装置には、コンタクトガラス３７の原稿読取面３７ａに対向して読取ガイド４７が配置されるとともに、原稿読取面３７ａの原稿搬送方向下流側において、読取ガイド４７に対向して搬送ガイド４８が配置されている。又、読取ガイド４７の、原稿読取面３７ａの原稿搬送方向下流側であって、搬送ガイド４８と対向する部分４７ａに突起４９が設けられている。従って、原稿３４が読取前搬送ローラ４５のニップＮ１を離れた場合であっても、原稿３４は、突起４９と当接したまま搬送されるため、原稿の搬送経路の変化を防止でき、結果として、文字ブレの発生を回避することができる。【選択図】  図３
2006086957.tif 000002
【特許請求の範囲】
【請求項１】
原稿読取面の上流側に配置され、原稿を前記原稿読取面へ搬送する読取前搬送ローラと、前記読取前搬送ローラの下流側において、前記原稿読取面に対向して配置され、前記原稿を前記原稿読取面へ案内する読取ガイドと、前記原稿読取面の下流側において、前記読取ガイドに対向して配置された搬送ガイドと、を備える自動原稿搬送装置において、
前記読取ガイドの、前記原稿読取面の下流側であって、前記搬送ガイドと対向する部分に突起が設けられていることを特徴とする自動原稿搬送装置。
【請求項２】
前記突起は、前記搬送ガイドの下流側端部に対して上流側と下流側に配置されていることを特徴とする請求項１に記載の自動原稿搬送装置。
【請求項３】
前記突起は、原稿搬送方向に直交する方向において、所定の間隔を隔てて複数個設けられていることを特徴とする請求項２に記載の自動原稿搬送装置。
【請求項４】
前記原稿搬送方向に直交する方向において、前記搬送ガイドの下流側端部に対して、上流側に配置された突起と下流側に配置された突起が交互に配置されていることを特徴とする請求項３に記載の自動原稿搬送装置。
【請求項５】
請求項１乃至請求項４のいずれかに記載の自動原稿搬送装置を備えることを特徴とする画像読取装置。
【発明の詳細な説明】
【技術分野】
【０００１】
本発明は、原稿を原稿読取面へと案内するための読取ガイドを備え、原稿の流し読みを行うための自動原稿搬送装置及びこれを備えた画像読取装置に関する。
【背景技術】
【０００２】
一般に、スキャナ、又はデジタル複写機やファクシミリ装置等に設けられる画像読取装置においては、光源からの照射光を原稿に照射し、当該原稿からの反射光を、例えば、ＣＣＤセンサ等のイメージセンサにより撮像し、原稿の画像を読み取るように構成されている。
【０００３】
又、この画像読取装置において、原稿の流し読みを行うための自動原稿搬送装置を備えるものが知られている。この場合、自動原稿搬送装置の原稿給紙用トレイに積載された原稿が、自動原稿搬送装置内に給紙され、画像読取装置に設けられたコンタクトガラスへと搬送される。
【０００４】
又、当該自動原稿搬送装置においては、図５に示す様に、上述のコンタクトガラス８０に対向して読取ガイド８１が配置されるとともに、コンタクトガラス８０の原稿搬送方向下流側（以下、単に、「下流側」という場合がある。）において、読取ガイド８１に対向して搬送ガイド８２が配置されている。
【０００５】
ここで、読取ガイド８１は、読取前搬送ローラ８３を経由して搬送されてきた原稿Ｐを、コンタクトガラス８０の原稿読取面８４へと案内するためのものであり、当該読取ガイド８１により原稿読取面８４へと案内された原稿Ｐは、画像読取装置の光源により照射され、原稿により反射された照射光に基づいて、上述のＣＣＤセンサにより、当該原稿Ｐの一方の面の画像を読み取る構成となっている。
【０００６】
又、搬送ガイド８２は、画像が読み取られた原稿Ｐを、読取後搬送ローラ８５へと導くためのものである。そして、当該搬送ガイド８２により読取後搬送ローラ８５へと導かれた原稿Ｐは、原稿排紙用搬送路を経由して、自動原稿搬送装置外に排出される（例えば、特許文献１参照）。
【特許文献１】特開平２００４−３７９５９号公報（第８頁、第８図）
【発明の開示】
【発明が解決しようとする課題】
【０００７】
しかし、上記従来の自動原稿搬送装置においては、以下に示す不都合が生じていた。即ち、原稿Ｐが、読取前搬送ローラ８３のニップＮ（即ち、図５において、読取前搬送ローラ８３と搬送ドラム８６により形成されるニップＮ）に狭持されている場合には、当該原稿Ｐは、図５に示す様に、読取ガイド８１と搬送ガイド８２により形成される搬送路Ｈにおいて、搬送ガイド８２の方向へと膨らんだ状態で搬送される。しかし、原稿Ｐが上記ニップＮから離れた瞬間に、当該原稿Ｐに対して、読取前搬送ローラ８３の搬送力が与えられなくなる。そうすると、原稿Ｐは、上記搬送路Ｈにおいて、搬送ガイド８２から読取ガイド８１への方向（即ち、図５に示す矢印Ａの方向）へ移動し、図６に示す状態になるため、原稿Ｐの搬送経路に変化が生じてしまい、結果として、原稿搬送速度が変化し、文字ブレが発生してしまうという不都合が生じていた。
【０００８】
そこで、本発明は、上述の問題に鑑みてなされたものであり、簡単な構成で、原稿の画像を読み取る際の文字ブレを効果的に防止し、良好な画像を得ることができる自動原稿搬送装置およびこれを備えた画像読取装置を提供することを目的とする。
【課題を解決するための手段】
【０００９】
上記目的を達成するために、本発明の自動原稿搬送装置は、原稿読取面の上流側に配置され、原稿を原稿読取面へ搬送する読取前搬送ローラと、読取前搬送ローラの下流側において、原稿読取面に対向して配置され、原稿を原稿読取面へ案内する読取ガイドと、原稿読取面の下流側において、読取ガイドに対向して配置された搬送ガイドと、を備え、読取ガイドの、原稿読取面の下流側であって、搬送ガイドと対向する部分に突起が設けられていることを特徴とする。
【００１０】
ここで、本発明の自動原稿搬送装置においては、突起は、搬送ガイドの下流側端部に対して上流側と下流側に配置されているものとすることができる。又、突起は、原稿搬送方向に直交する方向において、所定の間隔を隔てて複数個設けられているものとすることができる。又、原稿搬送方向に直交する方向において、搬送ガイドの下流側端部に対して、上流側に配置された突起と下流側に配置された突起が交互に配置されているものとすることができる。
【００１１】
又、本発明の画像読取装置は、上述のいずれかに記載の自動原稿搬送装置を備えることを特徴とする。
【発明の効果】
【００１２】
本発明の自動原稿搬送装置によれば、読取ガイドの、原稿読取面の下流側であって、搬送ガイドと対向する部分に突起を設ける構成としている。従って、原稿が読取前搬送ローラのニップを離れた場合であっても、当該原稿は、突起と当接したまま搬送されるため、搬送ガイドの方向へと膨らんだ状態を維持したまま搬送されることになる。その結果、簡単な構成で、原稿の搬送経路の変化を防止することが可能になるため、原稿搬送速度を変化させることなく、原稿を搬送することが可能になり、文字ブレの発生を回避することができる。
【００１３】
又、突起を、搬送ガイドの下流側端部に対して上流側と下流側に配置する構成としている。従って、読取ガイドや搬送ガイドの寸法精度が悪い場合等においても、読取ガイドと搬送ガイドとの隙間により形成される搬送路を確保することができるため、読取ガイドに突起を設けた場合で合っても、原稿を確実に搬送することが可能になる。
【００１４】
又、突起を、原稿搬送方向に直交する方向において、所定の間隔を隔てて複数個設ける構成としている。従って、原稿搬送方向に直交する方向において、所定の間隔を隔てることなく突起を連設する場合に比し、原稿と突起の接触面積を減少させることが可能になる。その結果、原稿搬送時において、原稿に対する突起の接触圧を低減させることができ、原稿の損傷や擦れ音の発生を回避することが可能になる。
【００１５】
又、原稿搬送方向に直交する方向において、搬送ガイドの下流側端部に対して、上流側に配置された突起と下流側に配置された突起を交互に配置する構成としている。従って、原稿搬送方向に直交する方向において、搬送ガイドの下流側端部に対して、上流側に配置された突起と下流側に配置された突起の各々の個数を徒に増やすことなく、原稿搬送時における文字ブレの発生を回避することが可能になる。
【００１６】
又、本発明の画像読取装置によれば、上述のいずれかに記載の自動原稿搬送装置を備える構成としているため、上述のいずれかに記載の自動原稿搬送装置と同じ効果を得ることが可能になる。
【発明を実施するための最良の形態】
【００１７】
以下に、本発明の具体的な実施形態について図面を参照しながら説明する。図１は、本発明の実施形態に係る画像読取装置の全体構成を示す概略図であり、図２は、本発明の実施形態に係る自動原稿搬送装置における原稿読取部の拡大図である。
【００１８】
図１において、画像読取装置１は、画像読取装置本体１ａと、画像読取装置本体１ａの上面に設けられた原稿台用コンタクトガラス２２、及び、流し読み用コンタクトガラス３７とを備えている。
【００１９】
画像読取装置本体１ａは、原稿台用コンタクトガラス２２上に載置された原稿２３に光を照射して原稿２３を照明する光源である光源２４と、原稿２３により反射された照射光を９０度方向に反射する第１ミラー２５とから構成される第１光学系ユニット２６を備えている。又、第１ミラー２５による反射光を９０度方向に反射する第２ミラー２７と、第２ミラー２７による反射光を更に９０度方向に反射する第３ミラー２８とから構成される第２光学系ユニット２９とを備えている。
【００２０】
又、画像読取装置本体１ａの内部には、結像レンズ３０と、イメージセンサとしてのＣＣＤセンサ３１が搭載されたＣＣＤユニット４３が設けられている。第３ミラー２８により反射された原稿２３からの反射光は、ＣＣＤセンサ３１に対面して設けられた結像レンズ３０により収束され、当該結像レンズ３０を介してＣＣＤセンサ３１に入射し、当該ＣＣＤセンサ３１上に結像される。そして、原稿２３上を走査した画像の光は、ＣＣＤセンサ３１により電気信号に変換され、原稿画像の濃淡が電気信号レベルの高低に変換される。
【００２１】
本実施形態においては、この様に、第１光学系ユニット２６、第２光学系ユニット２９、結像レンズ３０、およびＣＣＤユニット４３により、光源２４により照射され、原稿２３により反射された照射光に基づいて、原稿画像を読み取る画像読み取り手段が構成されている。尚、本実施形態では、光源２４としてキセノン蛍光ランプ、ハロゲン蛍光ランプ、蛍光灯、等の蛍光ランプを使用することが可能である。
【００２２】
又、上記構成においては、結像レンズ３０、およびＣＣＤセンサ３１は画像読取装置本体１ａに固定されているが、光源２４がスキャン方向に移動しても原稿側光路長が変化しないようにする必要がある。従って、光源２４と第１ミラー２５とから構成される第１光学系ユニット２６と、第２ミラー２７と第３ミラー２８とから構成される第２光学系ユニット２９は、各々、一定速度で移動可能となるように設けられている。これらの第１、第２光学系ユニット２６、２９の移動、および停止は、図示しない光学ユニット駆動手段により行われる。
【００２３】
又、本実施形態の画像読取装置３は、原稿の流し読みを行うための自動原稿搬送装置２を備えている。当該自動原稿搬送装置２は、原稿給紙用トレイ３３と、当該原稿給紙用トレイ３３に積載された原稿３４を給紙する給紙部３５と、給紙された原稿３４を搬送するための原稿用搬送路３６とを備えている。又、自動原稿搬送装置２は、給紙部３５の斜め下方に配置された大径の搬送ドラム４４と、流し読み用コンタクトガラス３７の原稿読取面３７ａの原稿搬送方向上流側（以下、単に、「上流側」という場合がある。）に配置された読取前搬送ローラ４５と、原稿読取面３７ａの原稿搬送方向下流側に配置された読取後搬送ローラ４６と備えている。尚、これらの読取前搬送ローラ４５と読取後搬送ローラ４６の各々は、図１、図２に示す様に、搬送ドラム４４に当接するように配置されている。
【００２４】
又、図２に示す様に、自動原稿搬送装置２においては、読取前搬送ローラ４５の下流側において、コンタクトガラス３７の原稿読取面３７ａに対向して読取ガイド４７が配置されるとともに、原稿読取面３７ａの下流側において、読取ガイド４７に対向して搬送ガイド４８が配置されている。
【００２５】
原稿３４の流し読みを行う場合は、まず、自動原稿搬送装置２の原稿給紙用トレイ３３に積載された原稿３４が、給紙部３５により自動原稿搬送装置２内に給紙される。次いで、当該原稿３４が、原稿用搬送路３６を経由して、読取前搬送ローラ４５のニップ（即ち、読取前搬送ローラ４５と搬送ドラム４４により形成されるニップ）Ｎ１に挟持され、読取前搬送ローラ４５により、流し読み用コンタクトガラス３７の原稿読取面３７ａへと搬送される。
【００２６】
次いで、読取前搬送ローラ４５を経由して搬送されてきた原稿３４は、読取ガイド４７により、流し読み用コンタクトガラス３７の原稿読取面３７ａへと案内される。この際、第１光学系ユニット２６、および第２光学系ユニット２９は、図示しない駆動制御手段により、各々、所定のタイミングにより、図中の矢印４１、４２の方向に一定速度で移動するとともに、流し読み用コンタクトガラス３７上を通過する原稿３４を読み取り可能な位置に停止し、原稿３４の一方の面の画像の読み取りを開始する。この場合も、上述した通常の画像読み取りを行う場合と同一の画像読取手段により原稿３４の画像が読み取られる。
【００２７】
又、本実施形態の自動原稿搬送装置２内には、原稿３４の他方の面を読み取るための密着型イメージセンサ１０と、当該密着型イメージセンサ１０の原稿搬送方向上流側に配置され、当該密着型イメージセンサ１０の原稿読取面に原稿３４を案内するための原稿ガイド１１が設けられている。
【００２８】
流し読み用コンタクトガラス３７上を通過し、一方の面が読み取られた原稿３４は、上述の搬送ガイド４８により、読取後搬送ローラ４６へと導かれ、次いで、原稿ガイド１１により、密着型イメージセンサ１０の原稿読取面へと案内され、当該密着型イメージセンサ１０に設けられた不図示の読取素子（光電変換素子）により、原稿３４の他方の面の画像が読み取られる構成となっている。
【００２９】
又、自動原稿搬送装置２は、原稿３４を排出するための原稿排紙用搬送路３９と、排出された原稿３４が積載される原稿排紙用トレイ４０とを備えている。そして、密着型イメージセンサ１０により、他方の面が読み取られた原稿３４は、原稿排紙用搬送路３９を経由して、自動原稿搬送装置２外に排出され、原稿排紙用トレイ４０上に積載される構成となっている。
【００３０】
ここで、本実施形態においては、図２に示す様に、読取ガイド４７の、コンタクトガラス３７の原稿読取面３７ａの原稿搬送方向下流側であって、搬送ガイド４８と対向する部分４７ａに突起４９を設けた点に特徴がある。以下に、本特徴について、図面を用いて詳しく説明する。図３は、本発明の実施形態に係る自動原稿搬送装置における原稿読取部周辺での原稿の搬送状態を説明するための拡大図であり、図４は、本発明の実施形態に係る自動原稿搬送装置における読取ガイドに設けられた突起の配列を説明するための斜視図である。
【００３１】
上述のごとく、図５、図６に示した従来技術においては、原稿ＰがニップＮから離れた瞬間に、当該原稿Ｐに対して、読取前搬送ローラ８３の搬送力が与えられなくなる。従って、搬送ガイド８２の方向へと膨らんだ状態（即ち、図５に示す状態）で搬送されていた原稿Ｐは、図５に示す矢印Ａの方向へ移動して上記搬送ガイド８２の方向への膨らみが消去し、図６に示す状態になるため、原稿Ｐの搬送経路に変化が生じてしまう。
【００３２】
一方、本実施形態においては、上述のごとく、読取ガイド４７の、コンタクトガラス３７の原稿読取面３７ａの原稿搬送方向下流側であって、搬送ガイド４８と対向する部分４７ａに、突起４９を設けている。従って、図３に示す様に、読取前搬送ローラ４５と搬送ドラム４４により形成されるニップＮ１に狭持搬送されていた原稿３４が、当該ニップＮ１を離れた場合であっても、当該原稿３４は、突起４９と当接したまま搬送されるため、原稿３４は、読取ガイド４７と搬送ガイド４８により形成される搬送路ｈにおいて、搬送ガイド４８の方向へと膨らんだ状態を維持したまま搬送されることになる。
【００３３】
即ち、原稿３４が上記ニップＮ１から離れた瞬間に、当該原稿３４に対して、読取前搬送ローラ４５の搬送力が与えられなくなるが、かかる場合においても、原稿３４は、上記搬送路ｈにおいて、搬送ガイド４８から読取ガイド４７の方向へ移動することなく搬送されることになる。従って、原稿３４の搬送経路の変化を防止することが可能になるため、原稿搬送速度を変化させることなく、原稿３４を搬送することが可能になり、結果として、文字ブレの発生を回避することが可能になる。
【００３４】
又、図２、図３に示す様に、読取ガイド４７に設けられた突起４９は、搬送ガイド４８の原稿搬送方向の下流側端部４８ａに対して原稿搬送方向上流側に配置された突起４９ａ（以下、「上流側突起４９ａ」という。）と、原稿搬送方向下流側に配置された突起４９ｂ（以下、「下流側突起４９ｂ」という。）により構成されている。この様な構成にすることにより、例えば、読取ガイド４７や搬送ガイド４８の寸法精度が悪い場合等においても、読取ガイド４７と搬送ガイド４８との隙間により形成される搬送路ｈを確保することが可能になる。従って、読取ガイド４７に突起４９を設けた場合であっても、原稿３４を確実に搬送することができる。
【００３５】
又、本実施形態においては、突起４９は、原稿搬送方向に直交する方向において、所定の間隔を隔てて複数個設けられている。より具体的には、図４に示す様に、突起４９のうち、上流側突起４９ａは、原稿搬送方向に直交する方向（即ち、読取ガイド４７の長手方向であって、図中の矢印Ｘの方向）において、所定の間隔を隔てて複数個（本実施形態においては４個）設けられている。又、同様に、下流側突起４９ｂは、上記矢印Ｘの方向において、所定の間隔を隔てて複数個（本実施形態においては６個）設けられている。この様な構成にすれば、上記原稿搬送方向に直交するＸ方向において、所定の間隔を隔てることなく、複数個の上流側突起４９ａの各々（又は、複数個の下流側突起４９ｂの各々）を連設する場合に比し、原稿３４が突起４９と当接した状態で搬送される際の、原稿３４と突起４９の接触面積を減少させることが可能になる。従って、原稿搬送時において、原稿３４に対する突起４９の接触圧を低減させることが可能になり、結果として、原稿の損傷や擦れ音の発生を回避することが可能になる。
【００３６】
尚、図４に示す様に、原稿搬送方向に直交するＸ方向において、上流側突起４９ａと下流側突起４９ｂを交互に配置する構成とすることもできる。この様な構成にすれば、上記Ｘ方向において、上流側突起４９ａと下流側突起４９ｂの各々の個数を徒に増やすことなく、原稿搬送時における文字ブレの発生を回避することが可能になる。
【００３７】
以上に説明した様に、本実施形態においては、読取ガイド４７の、コンタクトガラス３７の原稿読取面３７ａの原稿搬送方向下流側であって、搬送ガイド４８と対向する部分４７ａに、突起４９を設ける構成としている。従って、簡単な構成で、原稿３４の画像を読み取る際の文字ブレを効果的に防止し、良好な画像を得ることができる。
【００３８】
尚、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００３９】
例えば、上記実施形態においては、図２〜図４に示す様に、突起４９を、原稿搬送方向に直交するＸ方向において、断面略く字形状に形成しているが、原稿３４の画像を読み取る際の文字ブレを効果的に防止できる形状であればどのような形状でも良い。例えば、当該突起４９を、上記Ｘ方向において、断面略円弧形状に形成することができる。
【産業上の利用可能性】
【００４０】
本発明の活用例としては、原稿を原稿読取面へと案内するための読取ガイドを備え、原稿の流し読みを行うための自動原稿搬送装置及びこれを備えた画像読取装置が挙げられる。
【図面の簡単な説明】
【００４１】
【図１】本発明の実施形態に係る画像読取装置の全体構成を示す概略図である。
【図２】本発明の実施形態に係る自動原稿搬送装置における原稿読取部の拡大図である。
【図３】本発明の実施形態に係る自動原稿搬送装置における原稿読取部周辺での原稿の搬送状態を説明するための拡大図である。
【図４】本発明の実施形態に係る自動原稿搬送装置における読取ガイドに設けられた突起の配列を説明するための斜視図である。
【図５】従来の自動原稿搬送装置における原稿読取部周辺での原稿の搬送状態を説明するための拡大図である。
【図６】従来の自動原稿搬送装置における原稿読取部周辺での原稿の搬送状態を説明するための拡大図である。
【符号の説明】
【００４２】
１…画像読取装置、２…自動原稿搬送装置、３４…原稿、３７…流し読み用コンタクトガラス、３７ａ…原稿読取面、４４…搬送ドラム、４５…読取前搬送ローラ、４６…読取後搬送ローラ、４７…読取ガイド、４７ａ…搬送ガイドと対向する部分、４８…搬送ガイド、４８ａ…搬送ガイドの下流側端部、４９…突起、４９ａ…上流側突起、４９ｂ…下流側突起、Ｘ…原稿搬送方向に直交する方向
【図１】
2006086957.tif 000003
【図２】
2006086957.tif 000004
【図３】
2006086957.tif 000005
【図４】
2006086957.tif 000006
【図５】
2006086957.tif 000007
【図６】
2006086957.tif 000008